(57)【要約】【課題】所望のタイミングで即座に取り外すことができる口呼吸矯正テープを提供すること。【解決手段】口呼吸矯正テープ１は、口唇６の少なくとも両端を被覆するシート部２ａと、シート部２ａの裏面２ｃに設けられる粘着層３とを備え、シート部２ａの外側に、粘着層３が設けられない把持部２ｂが延出していることで、使用者が外側に延出し且つ粘着層が設けられない把持部２ｂを把持してシート部２ａを口唇から離間させることにより、粘着層３を手指に貼り付けずに皮膚から剥離することができ、かかる剥離作業を簡便に行えるため、所望のタイミングで容易に取外すことができる。【選択図】図３
2014236928.tif 000002
【特許請求の範囲】
【請求項１】
口唇の少なくとも両端を被覆するシート部と、該シート部の裏面に設けられる粘着層と、を備え、前記シート部の外側に、前記粘着層が設けられない把持部が延出していることを特徴とする口呼吸矯正テープ。
【請求項２】
前記シート部は、口唇の形状に沿って平面視略楕円形状を成し、前記把持部は、前記シート部の長手方向の端部から延出していることを特徴とする請求項１に記載の口呼吸矯正テープ。
【請求項３】
前記シート部は、透光性を有する素材からなることを特徴とする請求項１または２に記載の口呼吸矯正テープ。
【請求項４】
前記シート部は、外力により破断される破断部を備えていることを特徴とする請求項１ないし３のいずれかに記載の口呼吸矯正テープ。
【発明の詳細な説明】
【技術分野】
【０００１】
本発明は、口呼吸を矯正するための口呼吸矯正テープに関する。
【背景技術】
【０００２】
一般に、睡眠時において口呼吸を行うと、口が常に開いた状態となることにより、舌が気道に落ち込み、いびきや無呼吸症候群等が生じるようになるため、口呼吸を防止して鼻呼吸へ矯正することが望まれてきた。
【０００３】
そこで、上記口呼吸を矯正するために、中央に開口が形成された粘着テープと、その開口を塞ぐガーゼと、により構成された塞口テープを、口及び口の周縁を覆うように貼り付けることで就寝時に口が開くことを防止する技術が開示されている（例えば、特許文献１参照）。
【先行技術文献】
【特許文献】
【０００４】
【特許文献１】特開２００３−１５９２６９号公報（第２頁、第２図）
【発明の概要】
【発明が解決しようとする課題】
【０００５】
しかしながら、特許文献１にあっては、塞口テープの外周側に亘り略環状の粘着テープが位置しているため、使用者が粘着テープを直接把持して塞口テープの着脱を行うことになる。そのため、塞口テープの剥離する際には、粘着テープと皮膚との間に爪を差し込み、粘着テープの端部を把持する必要があるため、極めて剥がし難く使用者の所望のタイミングで即座に取外すことができないという問題があった。
【０００６】
本発明は、このような問題点に着目してなされたもので、所望のタイミングで容易に取外すことができる口呼吸矯正テープを提供することを目的とする。
【課題を解決するための手段】
【０００７】
前記課題を解決するために、本発明の口呼吸矯正テープは、
口唇の少なくとも両端を被覆するシート部と、該シート部の裏面に設けられる粘着層と、を備え、前記シート部の外側に、前記粘着層が設けられない把持部が延出していることを特徴としている。
この特徴によれば、使用者が外側に延出し且つ粘着層が設けられない把持部を把持してシート部を口唇から離間させることにより、粘着層を手指に貼り付けずに皮膚から剥離することができ、かかる剥離作業を簡便に行えるため、所望のタイミングで容易に取外すことができる。
【０００８】
前記シート部は、口唇の形状に沿って平面視略楕円形状を成し、前記把持部は、前記シート部の長手方向の端部から延出していることを特徴としている。
この特徴によれば、把持部を把持して窄まった形状を成すシート部の長手方向の端部からその長手方向に沿って剥がすことにより、粘着層が皮膚と接着面積の小さい箇所から剥離されるため、かかる剥離作業を容易に行うことができる。
【０００９】
前記シート部は、透光性を有する素材からなることを特徴としている。
この特徴によれば、シート部を介して外側から口唇の状態を確認することができる。
【００１０】
前記シート部は、外力により破断される破断部を備えていることを特徴としている。
この特徴によれば、シート部が破断部を備えていることから、使用者が適宜のタイミングで外力を加えて破断部を破断させ、その破断部を介して口呼吸を行うことができるため、緊急時に使用者の安全性を確保することができる。
【図面の簡単な説明】
【００１１】
【図１】（ａ）は、実施例１における口呼吸矯正テープを示す分解斜視図であり、（ｂ）は、（ａ）のＡ−Ａ断面図である。
【図２】保護シート部の分割紙を剥離する態様を示す背面斜視図である。
【図３】（ａ）は、実施例１における口呼吸矯正テープを装着した状態を示す概要図であり、（ｂ）は、口呼吸矯正テープを取外した状態を示す概要図である。
【図４】（ａ）は、被覆部の変形例を示す分解斜視図であり、（ｂ）は、（ａ）のＢ−Ｂ断面図である。
【図５】実施例２における複数の口呼吸矯正テープを示す平面斜視図である。
【図６】（ａ）は、実施例２における口呼吸矯正テープを示す分解斜視図であり、（ｂ）は、（ａ）のＣ−Ｃ断面図である。
【図７】（ａ）は、実施例２における口呼吸矯正テープが口唇の両端部に装着された状態を示す概要図であり、（ｂ）は、（ａ）の状態から口唇の中央部で呼吸を行った状態を示す概要図である。
【図８】（ａ）は、実施例３における口呼吸矯正テープを示す分解斜視図であり、（ｂ）は、同じく背面斜視図を示す図である。
【図９】（ａ）は、実施例３における口呼吸矯正テープを装着した状態を示す概要図であり、（ｂ）は、切込み部を破断させて通気口を形成した状態を示す概要図である。
【発明を実施するための形態】
【００１２】
本発明に係る口呼吸矯正テープを実施するための形態を実施例に基づいて以下に説明する。
【実施例１】
【００１３】
実施例１に係る口呼吸矯正テープにつき、図１から図３を参照して説明する。図１及び図２に示されるように、口呼吸矯正テープ１は、使用者の口を覆うことにより、無意識に口が開くことを抑制することで鼻呼吸を促すものであり、本実施例では、特に睡眠時に用いられるものとして説明する。口呼吸矯正テープ１は、口唇６（図３参照）を被覆するシート部材２と、シート部材２の裏面２ｃに設けられる粘着層３と、から主に構成されている。
【００１４】
図１及び図３に示されるように、シート部材２は、口唇６に沿って形成され、口唇６よりも大きい平面視略楕円形状を成すシート部としての被覆部２ａを有しており、被覆部２ａの長手方向の両端部２ｄ，２ｅが徐々に窄まるように形成されている。また、被覆部２ａは、透光性を有する合成樹脂により形成されている。尚、被覆部２ａは、使用時に発汗や蒸れ等を抑えるために通気性や吸汗性若しくは放湿性等に優れた素材により構成されることが好ましい。
【００１５】
また、被覆部２ａの長手方向の両端部２ｄ，２ｅには、粘着層３が設けられていない把持部２ｂ，２ｂが、その長手方向に沿って外側に延出している。尚、本実施例においてシート部材２は、一枚のシート状の合成樹脂を型抜きすることで製造され、被覆部２ａと把持部２ｂ，２ｂとが一体に形成されているが、被覆部２ａと別体の部材から成る把持部を熱溶着等により接続してもよい。さらに、この把持部の形状や大きさは自由に設計することができる。また、把持部は、被覆部２ａの両端部２ｄ，２ｅに設けられることに限らず、いずれか一方のみに設けられていてもよいし、被覆部２ａの端部以外に設けられてもよい。
【００１６】
図１及び図２に示されるように、粘着層３は、被覆部２ａの裏面２ｃの外縁部に亘って固着されている。このように被覆部２ａが口唇６よりも大きい平面視略楕円形状をなしており、その被覆部２ａの裏面２ｃの外縁部に亘って粘着層３が固着されていることから、動きが活発な口唇６自体を避けて当該口唇６の周りに粘着層３が貼着されるため、口唇６の蒸れ等を軽減できるとともに、口唇６の不測の動きにより被覆部２ａ及び粘着層３が剥がれ落ちることを防止できる。尚、粘着層は、被覆部２ａの裏面２ｃの略全面に設けられていてもよい。さらに尚、この粘着層３は、より剥がしやすいように両端部２ｄ，２ｅ側の粘着力が中央側に比べて弱くなっていてもよいし、あるいは両端部２ｄ，２ｅ側は粘着層３を有さずともよい。
【００１７】
この粘着層３における被覆部２ａと接着する面の反対の面である貼着面３ａには、貼着面３ａを保護する保護シート部５が剥離可能に貼着されている。この保護シート部５は、粘着層３の略中央部を境に長手方向に２つに分割された分割紙５ａ，５ｂにより構成され、分割紙５ａには、分割紙５ｂの外面に重なる取手部５ｃが設けられている。
【００１８】
これによれば、粘着層３の貼着面３ａが保護シート部５により保護されるため、貼着面３ａが使用者の所望しない箇所に貼着してしまうことを防止でき、且つ貼着面３ａに塵等が付着して貼着面３ａの粘着力低下を防ぐことができるとともに、被覆部２ａの裏面に前記塵等が溜まることが防止され、清潔に保つことができる。また、使用時には、分割紙５ａ，５ｂを粘着層３から剥離することのみで貼着面３ａを貼着可能状態とすることができる。尚、保護シート部は、２分割されることに限られず、例えば３つ以上に分割されてもよいし、１枚の分割紙により形成されてもよい。更に尚、保護シート部は、平面視で粘着層３の形状と同一の略環状に形成されていてもよい。
【００１９】
また、特に図示しないが、取手部５ｃを摘んで一方の分割紙５ａを剥がし、分割紙５ａが剥がされ露出した片側の貼着面３ａを、把持部２ｂを把持しながら口唇６及びその周囲に貼着させ、次いで、他方の分割紙５ｂを中央側から端部に向けて剥がしながら貼着面３ａを漸次残りの口唇６及びその周囲に貼着させることで口呼吸矯正テープ１が装着される。
【００２０】
図３（ａ）に示されるように、口呼吸矯正テープ１を装着時においては、被覆部２ａにより口唇６の全体が覆われるため、口の開きが抑制される結果、鼻呼吸が促されるようになる。そして、口呼吸矯正テープ１を取外す際には、図３（ｂ）に示されるように、一方の把持部２ｂを把持して口唇６の端部側から口唇６の長手方向に沿って被覆部２ａ及び粘着層３を剥離することにより、貼着面３ａを口唇６及びその周囲から剥離することができ、口呼吸を行うことができるようになる。尚、口呼吸矯正テープ１を取外す際には、両方の把持部２ｂを把持して口唇６の両側から被覆部２ａ及び粘着層３を剥離してもよい。
【００２１】
このように、使用者が把持部２ｂを把持して被覆部２ａを口唇６から離間させるため、粘着層３を手指に貼り付けることなく剥離することができ、かかる剥離作業を簡便に行え、使用者の所望のタイミングで取外すことができる。そのため、例えば、緊急に口呼吸を必要とする場合等に、口唇６から被覆部２ａを即座に取り外し、早急に口呼吸に移行することが可能となる。
【００２２】
また、把持部２ｂは、窄まった形状を成す被覆部２ａの長手方向の両端部２ｄ，２ｅに設けられており、被覆部２ａの長手方向の両端部２ｄ，２ｅが口唇６の両端部近傍に位置することから、把持部２ｂを把持して被覆部２ａの長手方向に沿って剥がすことにより、粘着層３が皮膚との接着面積の比較的小さい箇所から粘着層３の長手方向に沿って剥離されるため、かかる剥離作業を容易に行うことができる。そして口唇６の端部から被覆部２ａ及び粘着層３が剥離された時点、すなわち口唇６の端部から即座に口呼吸を行うことができる。
【００２３】
また、被覆部２ａは、透光性を有する素材からなり、被覆部２ａを介して外側から口唇６の状態を確認することができる。例えば、病院等において使用者が睡眠中に、看護師等の他者が使用者の口唇６の色等を目視確認することで使用者の様態、特に酸欠等に陥っていないかどうかを確認できるため、口呼吸矯正テープ１の使用上の安全性を保持することができる。尚、粘着層３が被覆部２ａの裏面２ｃの全面に固着される場合には、粘着層３も同様に透光性を有することが好ましい。
【００２４】
尚、被覆部の変形例として次のようなものもある。図４に示されるように、シート部材２１は、被覆部２１ａの略中央部に開口２１ｂが形成されており、その開口２１ｂには、ガーゼなどの素材で形成された通気部２１ｄが設けられている。また、被覆部２１ａの裏面２１ｃには、粘着層３１が設けられている。これによれば、無意識に口が開くことを抑制しながらも、通気部２１ｄを通して一定量の口呼吸が可能であるため、口の開きを防止して鼻呼吸を促しながらも使用時における安全性を保つことができる。
【００２５】
また、粘着層は、被覆部の裏面の全面に設けられることに限られず、例えば、図示しないが一枚のシート部材の裏面に対し、分割した複数の被覆部をシート部材の短手方向に延びるように被覆部の長手方向に所定距離離間させて設けてもよい。これによれば、皮膚と粘着層とが接着しない部分がシート部材の長手方向に複数形成されるため、シート部材の長手方向に沿ってシート部材を容易に剥離することができるとともに、装着時には、皮膚のかぶれなどを抑えることができる。さらに、使用者はシート部材の外縁における皮膚と粘着層とが接着しない部分から空気を取り込んで口呼吸を行うことができる。
【実施例２】
【００２６】
次に、実施例２に係る口呼吸矯正テープにつき、図５ないし図７を参照して説明する。尚、前記実施例と同一構成で重複する説明を省略する。
【００２７】
図５ないし図７に示されるように、口呼吸矯正テープ１０のシート部材２２は、被覆部２２ａが口唇６の端部を上下方向に被覆可能な程度の大きさに形成されており、被覆部２２ａの一方の端部２２ｅに把持部２２ｂが設けられている。また、図６に示されるように、被覆部２２ａの裏面２２ｃには、粘着層３２，３２が被覆部２２ａの両端部２２ｄ，２２ｅに位置するように離間して配置されている。
【００２８】
また、図５に示されるように、保護シート部５１は、平面視においてシート部材２２，２２，…及び粘着層３２，３２，…よりも大きな剥離紙等により形成されており、保護シート部５１に対して複数の口呼吸矯正テープ１０，１０，…が粘着層３２，３２，…により貼着されている。
【００２９】
これによれば、１枚の保護シート部５１に多数の口呼吸矯正テープ１０，１０，…を貼着することができるため、口呼吸矯正テープ１０の生産コストを抑えることができる。さらに、口呼吸矯正テープ１０は、口唇６の端部を被覆するようになっているため、使用者の種々の大きさや形状の口唇６に対して装着可能となっており、汎用性が高くなっている。
【００３０】
図７（ａ）に示されるように、口唇６の両端部には、口呼吸矯正テープ１０，１０がそれぞれ装着され、粘着層３２，３２は、口唇６の動きが若干許容されるように、口唇６の上端及び下端に若干隙間を形成して口唇６の周りに貼着されている。これにより顎が開いてしまうことが防止され、例えば睡眠中に口が大きく開き舌が気道に落ち込むことが防止され、いびきや無呼吸症候群等が発生することを抑止できる。更に、口呼吸矯正テープ１０，１０が装着された状態にあっては、粘着層３２，３２同士の間に口唇６が位置するようになっているため、口唇６に粘着層３２，３２が直接貼着されないようになっている。
【００３１】
また、図７（ｂ）に示されるように、口唇６の両端部に口呼吸矯正テープ１０，１０を装着した状態であっても、急に口呼吸を必要とする場合には、口唇６の動きが許容される分、口唇６を窄めることにより、口唇６の中央部から呼吸を行うことができ、使用者の安全性を確保することができる。
【００３２】
また、口呼吸矯正テープ１０を安全に使用するためには、初めのうちは口唇６の両端に貼着しておき、使用者の口呼吸への依存度に応じて口呼吸矯正テープ１０，１０の間隔を徐々に縮めていくことが好ましく、これによれば使用者の身体的及び精神的な負担が少ない状態で鼻呼吸へと矯正することができる。
【実施例３】
【００３３】
次に、実施例３に係る口呼吸矯正テープにつき、図８及び図９を参照して説明する。
【００３４】
図８に示されるように、口呼吸矯正テープ１００は、シート部材２３の被覆部２３ａの長手方向に破断部としての切込み部２４が形成されており、その切込み部２４を囲うように被覆部２３ａの外縁に沿って粘着層３３が形成されている。この切込み部２４に外力が働くと、切込み部２４が破断されるようになっている。
【００３５】
図９（ａ）に示される口呼吸矯正テープ１００の装着状態において、例えば使用者が息苦しく感じた場合等に、図９（ｂ）に示されるように、使用者が口を開くことにより、切込み部２４に対して破断させる方向に引っ張る力が働き、切込み部２４が破断されて通気口２５が形成される。これにより、通気口２５を介して即座に口呼吸を行うことが可能になる。
【００３６】
このように、使用者が適宜のタイミングで外力を加えて切込み部２４を破断させ、その通気口２５を介して口呼吸を行うことができるため、緊急時に使用者の安全性を確保することができる。
【００３７】
尚、破断部は、上記のように切込み部２４だけに限らず、例えば、シート部材２３の素材自体が破断されやすいもので形成されていてもよい。また、切込み部２４は、使用者または他者が指等で押圧することにより容易に破断できるようになっていてもよい。
【００３８】
以上、本発明の実施例を図面により説明してきたが、具体的な構成はこれら実施例に限られるものではなく、本発明の要旨を逸脱しない範囲における変更や追加があっても本発明に含まれる。
【００３９】
例えば、前記実施例では、把持部２ｂは、シート部２ａから外側に延出するようになっているが、特段に把持部を外側に延出させず、粘着層が平面視で被覆部よりも小さくなっており、被覆部における粘着層よりも外側に延出した部位を把持部としてもよい。
【００４０】
また、把持部２ｂが窄まった形状を成すシート部材２の長手方向の両端部２ｄ，２ｅ、すなわち、把持部２ｂが口唇６の両端部近傍に位置するように設けられているが、必ずしもこれに限らず、例えば、把持部がシート部材の中央部に設けられていてもよい。
【００４１】
また、把持部は、被覆部と粘着層との間に挟持される別部材からなっていてもよいし、粘着層と別部材の一部が外側に延出されるように粘着層内に埋め込まれ、延出した部分を把持部として操作することにより被覆部が剥離されるようになっていてもよい。
【符号の説明】
【００４２】
１                口呼吸矯正テープ
２                シート部材
２ａ              被覆部（シート部）
２ｂ              把持部
３                粘着層
５                保護シート部
６                口唇
１０              口呼吸矯正テープ
２１              シート部材
２１ａ            被覆部（シート部）
２１ｄ            通気部
２２              シート部材
２２ａ            被覆部（シート部）
２２ｂ            把持部
２３              シート部材
２４              切込み部（破断部）
２５              通気口
３１，３２，３３  粘着層
５１              保護シート部
１００            口呼吸矯正テープ
【図１】
2014236928.tif 000003
【図２】
2014236928.tif 000004
【図３】
2014236928.tif 000005
【図４】
2014236928.tif 000006
【図５】
2014236928.tif 000007
【図６】
2014236928.tif 000008
【図７】
2014236928.tif 000009
【図８】
2014236928.tif 000010
【図９】
2014236928.tif 000011